(57)【要約】      （修正有）【課題】ＩＣカードリーダにおける運転免許証の取り忘れを防止する装置を提供する。【解決手段】運転免許証Ｄの取り忘れ防止装置１００は、運転免許証に内蔵されるＩＣチップから免許証情報を読み取る読取り手段２１０と、運転免許証の存在を検出する近接センサ３１０等を含む検出手段と、運転免許証の存在が検出されている間、警告を発する警告手段３２０とを有する。好ましくは、ＩＣカードリーダに運転免許証が載置されている間、聴覚または視覚により感知可能な警告が継続して発せられる。【選択図】図２
0003183414.tif 000002
【実用新案登録請求の範囲】
【請求項１】
運転免許証に内蔵されるＩＣチップから免許証情報を読み取る読取り手段と、
前記運転免許証の存在を検出する検出手段と、
前記運転免許証の存在が検出されている間、警告を発する警告手段と、
を有する運転免許証の取り忘れ防止装置。
【請求項２】
前記読取り手段は、運転免許証を載置する載置部を含み、
前記検出手段は、前記載置部に載置された運転免許証の存在を検出する、請求項１に記載の運転免許証の取り忘れ防止装置。
【請求項３】
前記警告手段は、聴覚により感知可能な出力または視覚により感知可能な出力のいずれかを含む、請求項１に記載の運転免許証の取り忘れ防止装置。
【請求項４】
前記検出手段は、非接触センサまたは接触センサにより前記運転免許証を検出する、請求項１に記載の運転免許証の取り忘れ防止装置。
【考案の詳細な説明】
【技術分野】
【０００１】
本考案は、運転免許証の取り忘れ防止装置に関すし、特にＩＣチップ内蔵の運転免許証をＩＣカードリーダで読み取るときの取り忘れ防止装置に関する。
【背景技術】
【０００２】
近年、自動車等の運転免許証には、ＩＣチップが内蔵され、ＩＣチップには、個人データを初めとする種々のデータが格納されている。例えば、特許文献１は、ＩＣカード運転免許証のＩＣチップから免許証情報を読み取るＩＣカードリーダを開示している。
【先行技術文献】
【特許文献】
【０００３】
【特許文献１】特開２０１２−０２２３７６号公報
【考案の概要】
【考案が解決しようとする課題】
【０００４】
運送業等を営む事業者は、運転者の安全運転を管理する義務を有する。このため、運転者が車両に搭乗する前に、ＩＣカードリーダによって運転免許証の免許証情報を読取り、当該免許証情報に基づき運転者が運転に適合しているか否かをチェックしている。しかしながら、ＩＣカードリーダに運転免許証を提示したまま、運転者が運転免許証をＩＣカードリーダから取り忘れてしまうことがある。そうすると、免許不携帯で車両を運転させてしまうことになり、ＩＣカードリーダによる運転免許証のチェックをすることそのものが問題になってしまう。
【０００５】
本考案は、このような従来の課題を解決し、ＩＣカードリーダにおける運転免許証の取り忘れを防止する装置を提供することを目的とする。
【課題を解決するための手段】
【０００６】
本考案の運転免許証の取り忘れ防止装置は、運転免許証に内蔵されるＩＣチップから免許証情報を読み取る読取り手段と、前記運転免許証の存在を検出する検出手段と、前記運転免許証の存在が検出されている間、警告を発する警告手段と、を有する。
【０００７】
好ましくは前記読取り手段は、運転免許証を載置する載置部を含み、前記検出手段は、前記載置部に載置された運転免許証の存在を検出する。好ましくは前記警告手段は、聴覚により感知可能な出力または視覚により感知可能な出力のいずれかを含む。好ましくは前記検出手段は、非接触センサまたは接触センサにより前記運転免許証を検出する。
【考案の効果】
【０００８】
本考案によれば、運転免許証が免許証情報を読み取るＩＣカードリーダに載置された状態にあるとき、警告を出力するようにしたので、運転者またはユーザーは、運転免許証の取り忘れを防止することができる。
【図面の簡単な説明】
【０００９】
【図１】本考案の実施例に係る運転免許証の取り忘れ防止装置の概要を示す図である。
【図２】本考案の第１の実施例に係る運転免許証の取り忘れ防止装置の電気的な構成を示す図である。
【図２Ａ】本実施例に用いられる近接センサと警告部の回路図である。
【図３】本考案の第２の実施例に係る運転免許証の取り忘れ防止装置の電気的な構成を示す図である。
【図４】本考案の第３の実施例に係る運転免許証の取り忘れ防止装置の電気的な構成を示す図である。
【図５】本考案の第４の実施例に係る運転免許証の取り忘れ防止装置の電気的な構成を示す図である。
【考案を実施するための形態】
【００１０】
以下、本考案に係る運転免許証の取り忘れ防止装置の好適な実施態様を図面を参照して説明する。
【実施例】
【００１１】
図１（Ａ）は、本考案の実施例に係る運転免許証の取り忘れ防止装置の正面図、図１（Ｂ）は、その側面図、図１（Ｃ）および（Ｄ）は、運転免許証が搭載された状態を示している。本実施例の運転免許証の取り忘れ防止装置１００は、運転免許証のＩＣカードリーダに一体にまたは個別に設けられる。運転免許証の取り忘れ防止装置１００は、運転免許証を保持するための保持部１１０と、保持部１１０の下部に設けられた矩形状のハウジング１２０と、運転免許証が保持部１１０に保持された状態にあることを検出する検出部１３０と、ハウジング１２０の正面に取付けられたランプ部１４０とを備えている。
【００１２】
保持部１１０は、例えば、ハウジング１２０の表面に２つの板状の部材１１０Ａ、１１０Ｂを有し、２つの板状の部材１１０Ａ、１１０Ｂは、一定の角度で傾斜されている。これにより、運転免許証Ｄは、２つの板状の部材１１０Ａ、１１０Ｂの間に傾斜された状態で倒立するように載置され、保持される。但し、運転免許証Ｄをどのように保持するかは任意であり、必ずしも図１に示すような形態に限らない。例えば、運転免許証Ｄをハウジング１２０の表面に水平に載置するようにしてもよい。
【００１３】
運転免許証Ｄには、ＩＣチップが内蔵されており、ＩＣチップに記憶された免許証情報は、ハウジング１２０の内部に収容されたＩＣカードリーダー部２００によって読み取られるようになっている。これについては、後述する。
【００１４】
保持部１１０に隣接して、運転免許証Ｄの存在を検出する検出部１３０が設けられる。検出部１３０は、保持部１１０の板状の部材１１０Ａがあたかも連続されるかのように、板状の部材１１０Ａの表面と同一の傾斜角の表面を有する。従って、ユーザーは、運転免許証Ｄを、なんら違和感なく、板状の部材１１０Ａと検出部１３０の双方の面上に立て掛けるように載置することができる。但し、検出部１３０の構成は、図１の態様に限定されるものではなく、保持部１１０と同様に２つの板状の部材１１０Ａ、１１０Ｂがあたかも連続されるような形態であってもよいし、必ずしも保持部１１０との形状の連続性をもたなくてもよい。要は、保持部１１０に保持された運転免免許証Ｄの存在を検出することができればよい。
【００１５】
検出部１３０は、接触式または非接触式のいずれかにより運転免許証Ｄの存在を検出する。検出部１３０は、例えば、レーザー光や赤外光などの光を照射しその反射光を受光する光センサ、運転免許証が近接したことを磁気等により検出する近接センサ、運転免許証が載置されたことに応答して接点が変位するような接触センサを含むことができる。検出部１３０による検出結果は、ハウジング１２０内の警告部へ提供される。
【００１６】
ランプ部１４０は、例えば発光ダイオードやその他の発光するランプを含んで構成される。ランプ部１４０は、運転免許証Ｄが検出部１３０によって検出されている間、連続的にまたは断続的に光を発する。また、ここには図示しないが、ハウジング１２０には、警告音またはその他の音声を出力するためのスピーカが設けられ、当該スピーカからの警告音は、運転免許証Ｄが検出部１３０によって検出されている間、連続的にまたは断続的に出力される。
【００１７】
図２は、本実施例の運転免許証の取り忘れ防止装置１００の電気的な構成を示すブロック図である。同図に示すように、当該防止装置１００は、運転免許証Ｄの免許証情報を読み取りを行うＩＣカードリーダー部２００と、運転免許証Ｄの取り忘れを防止する取り忘れ防止部３００とを含んでいる。
【００１８】
ＩＣカードリーダー部２００は、保持部１１０に運転免許証が保持されたとき、ＩＣチップの免許証情報を非接触状態で読取る読取部２１０と、読み取られた免許証情報を記憶する記憶部２２０と、読取部２１０および記憶部２２０を制御する制御部２３０とを備えている。なお、ここには詳細に示していないが、ＩＣカードレーダー部２００は、ＵＳＢケーブルやその他の接続手段を用いてコンピュータ等に接続され、読取られた免許証情報がコンピュータへ送信される。コンピュータは、受信した免許証情報に基づき、運転者の免許証情報のチェックや管理を行う。コンピュータは、必要に応じて運転に不適格な事由が見つかれば、その旨の警告を行う。
【００１９】
取り忘れ防止部３００は、保持部１１０に運転免許証Ｄが保持されたとき、運転免許証Ｄを検出する近接センサ３１０と、近接センサ３１０の検出結果に基づき警告を発する警告部３２０とを有する。近接センサ３１０は、少なくとも運転免許証Ｄが保持部１１０によって保持されている間、あるいは運転免許証Ｄの免許証情報がＩＣカードリーダー部２００によって読み取られている間、運転免許証Ｄの存在を検出する。
【００２０】
警告部３２０は、近接センサ３１０によって運転免許証Ｄが検出されている間、聴覚または視覚により感知可能な警告を発し、ユーザーまたは運転者に、運転免許証Ｄが保持部１１０によって保持された状態にあることを知らせる。警告部３１０は、上記したようにランプ部１４０を点灯させたり、スピーカから警告ブザーを鳴らしたりする。
【００２１】
運転免許証Ｄが保持部１１０から取り外されると、すなわち、免許証情報の読み取りが終了すると、近接センサ３１０によって運転免許証が非検出となる。警告部３２０は、この検出結果を受けて、警告を停止する。
【００２２】
本実施例では、検出部１３０が近接センサ３１０を含むものであるが、近接センサ３１０は、例えば、直流３線式ＮＰＮ出力タイプのセンサを用いることができる。図２Ａは、直流３線式ＮＰＮ出力タイプの近接センサを用いたときの回路図の一例を示している。
同図に示すように、近接センサ３１０のプラス側端子には、ヒューズ３２６および電源３２８が接続される。また、マイナス側端子とヒューと３２６との間には、警告出力としてのランプ３２２およびブザー３２４が並列に接続される。
【００２３】
次に、本考案の第２の実施例について図３を参照して説明する。なお、図２と同一構成については同一参照番号を附し、重複した説明を省略する。第２の実施例に係る運転免許証取り忘れ防止装置１００Ａは、図３に示すように、近接センサ３１０の検出出力が制御部２３０へ提供される。制御部２３０は、近接センサ３１０の検出結果に基づき警告部３２０の警告を制御する。制御部２３０は、近接センサ３１０によって運転免許証が検出されている間、警告部３２０による警告を出力し続けるようにしてもよいし、一定の時間期間を管理してその間だけ警告部３２０による警告を出力させるようにしてもよい。
【００２４】
次に、本考案の第３の実施例について図４を参照して説明する。第３の実施例に係る運転免許証取り忘れ防止装置１００Ｂでは、第１および第２の実施例のときに用いた近接センサを用いることなく、運転免許証の取り忘れ防止のための警告を発する。制御部２３０は、読取部２１０により運転免許証Ｄの免許証情報が読み取られている間、すなわち読取部２１０による読取が開始された時点から読取が終了された時点までの間、警告部３２０による警告を出力させる。第３の実施例では、近接センサが不要になるので、防止装置の小型化、軽量化を図ることができる。
【００２５】
次に、本考案の第４の実施例について図５を参照して説明する。第４の実施例では、第３の実施例に、ユーザーからの入力を受け取る入力部３３０を追加したものである。警告部３２０による警告が発せられているとき、ユーザーは、任意のタイミングで警告を停止させるための指示を入力部３３０から与えることができる。この場合、制御部２３０は、この指示を割り込み信号として受け取り、免許証情報の読み取り中であっても、警告部３２０による警告を停止させることができる。さらに、ユーザーは、任意のタイミングで警告を出力させるための指示を入力部３３０から与えることができる。この場合、制御部２３０は、この指示を割り込み信号として受け取り、運転免許証Ｄが保持部１１０に保持されていなくとも、警告部３２０による警告を出力させることができる。
【００２６】
本考案は、上記実施例に限定されるものではなく、実用新案登録請求の範囲に記載された考案の要旨の範囲において、種々の変形・変更が可能である。  警告部３２０による警告は、上記のような形態に限定されるものではなく、どのような形態であってもよい。警告部３２０は、運転免許証の取り忘れを防止するための音声データ、例えば、「運転免許証の取り忘れに注意してください」をメモリ等に予め記憶しておき、当該音声データをスピーカから出力するようにしてもよい。
【符号の説明】
【００２７】
１００、１００Ａ、１００Ｂ、１００Ｃ：運転免許証取り忘れ防止装置
１１０：保持部
１１０Ａ、１１０Ｂ：板状部材
１２０：ハウジング
１３０：検出部
１４０：ランプ部
２００：カードリーダー部
２１０：読取部
２２０：記憶部
２３０：制御部
３００、３００Ａ、３３０Ｂ、３００Ｖ：取り忘れ防止部
３１０：近接センサ
３２０：警告部
３３０：入力部
【図１】
0003183414.tif 000003
【図２】
0003183414.tif 000004
【図２Ａ】
0003183414.tif 000005
【図３】
0003183414.tif 000006
【図４】
0003183414.tif 000007
【図５】
0003183414.tif 000008